(57)【要約】通貨を保持するための方法、および、全ての枚数および量の紙幣を効率的に収容するために構成された通貨クリップまたはバンドである。通貨クリップは、挿入された紙幣を受けて保持するために、外側部材と内側部材との互いに関する長手方向の移動を提供する連結システムによって相互連結された外側部材と内側部材の連続した列を使用する。バンドは、両側が露出された外側表示面として使用されるように、１８０度の裏返しを提供するために非常に強固で可撓性である。露出された外側表示面は、魅力的な表示を備えて表わされている。
2004532662.tif 000002
【特許請求の範囲】
【請求項１】
少なくとも２つの対向する端部を有する紙幣またはクレジットカードを確実に保持するための方法であって：
互いに関して長手方向に移動可能な複数の相互連結された隣接するリンクを備えた連続的で拡大可能なバンドを備えるステップと；
相互連結された隣接するリンクを長手方向に移動するために力を適用し、それによってバンドを径方向外側に拡大するステップと；
保持されるべき紙幣またはクレジットカードの周りに配置されたリンクを収縮するために前記力を解放するステップと；および
紙幣またはクレジットカードを確実に保持するために、拡大可能なバンドとともに紙幣またはクレジットカードの少なくとも２つの対向する端部を取り囲むステップと；
を備えた方法。
【請求項２】
外側表示面を有する複数の隣接する外側部材を備え、また、隣接する外側部材の内側に平行な隣接する内側部材の第２の列を備えるステップをさらに備えていて、内側部材は裏返し可能な内面を有していて、隣接する外側部材と隣接する内側部材とは連結リンクによって結合されている請求項１記載の方法。
【請求項３】
外側部材と内側部材とが隣接する部材から長手方向に移動可能にするための相互連結手段を備えるステップをさらに備えた請求項２記載の方法。
【請求項４】
外側部材または内側部材のいずれかが外側表示面として方向付けられるように選択し、選択された外側部材または選択された内側部材を外側表示面として方向付けるために必要なように外側部材および内側部材を１８０度回転するステップをさらに備えた請求項２記載の方法。
【請求項５】
相互連結された隣接するリンクを互いに長手方向に移動するのを可能にするためのスプリング負荷された相互連結手段を備えるステップをさらに備えた請求項１記載の方法。
【請求項６】
隣接するリンクよりも長く、また、その上に装飾表示を受けるのに適した少なくとも１つの伸ばされた長さのリンクを備えるステップをさらに備えた請求項１記載の方法。
【請求項７】
隣接するリンクに相互連結されまたそれを分離する少なくとも１つの伸ばされた長さのリンクを備えるステップをさらに備えた請求項１記載の方法。
【請求項８】
中実で平坦で滑らかな頂面を伸ばされた長さのリンク上に備えるステップをさらに備えた請求項７記載の方法。
【請求項９】
伸ばされた長さのリンク上に彫刻を備えるステップをさらに備えた請求項８記載の方法。
【請求項１０】
伸ばされた長さのリンク上に宝石を備えるステップをさらに備えた請求項８記載の方法。
【請求項１１】
少なくとも２つの対向する端部を有する紙幣またはクレジットカードを確実に保持するための方法であって：
露出された装飾表示面を有し、装飾的表示面を有する隣接する金属の外側部材の複数の第１の列を備えた拡大可能な金属バンドを備えるステップと；
外側部材の内側に平行に隣接していて、裏返し可能な内側表示面を有する金属の内側部材の第２の列を備えるステップと；
外側部材と内側部材とを、隣接する外側部材と内側部材とから長手方向へ各移動することが可能なように外側部材を内側部材に相互連結するステップと；
外側部材の外側表示面と内側部材の裏返し可能な内側表示面とのいずれかを露出された表示面として方向付けられるように選択し、選択された外側表示面を有する外側部材か裏返し可能な内側表示面を有する内側部材かのいずれかを露出された表示面として方向付けるために必要なように、外側部材または内側部材を１８０度回転するステップと；
隣接する外側部材を互いに、また、隣接する内側部材を互いに長手方向へ移動しそれによってバンドを径方向外側へ拡大するための力を及ぼすステップと；
移動された外側部材と移動された内側部材とを保持されるべき紙幣またはクレジットカードの周りで収縮するために力を解放するステップと；および
紙幣またはクレジットカードを確実に保持するために、紙幣またはクレジットカードの少なくとも２つの対向する端部を拡大可能なバンドで取り囲むステップと；
を備えた方法。
【請求項１２】
紙幣またはクレジットカードを保持する通貨クリップとして使用するための拡大可能なバンドであって：
隣接する金属の外側部材の第１の列を備え；
外側部材の第１の列と相互連結された隣接する金属の内側部材の第２の列を備え；
外側部材と内側部材とを互いに相互連結するための複数のリンクを備え、各外側部材は少なくとも２つのリンクによって少なくとも２つの内側部材に相互連結され、また、各内側部材は少なくとも２つのリンクによって少なくとも２つの外側部材に相互連結され；
外側部材と内側部材とは、紙幣の少なくとも２つの端部を取り囲む拡大可能なバンドで外側部材を内側部材に相互連結することによって互いに関して長手方向の移動が可能である；
拡大可能なバンド。
【請求項１３】
リンクは、外側部材と内側部材との長手方向の相対的な移動を可能にするためにリンク角度で回転する請求項１２記載の通貨クリップ。
【請求項１４】
外側部材と内側部材とは、少なくとも１つの伸ばされた長さのリンクによって分離されている請求項１２記載の通貨クリップ。
【請求項１５】
伸ばされた長さのリンクは、リンク頂面を有していて、このリンク頂面は平坦で滑らかである請求項１４記載の通貨クリップ。
【請求項１６】
リンク頂面は、彫刻されている請求項１５記載の通貨クリップ。
【請求項１７】
リンク頂面は、宝石がちりばめられている請求項１５記載の通貨クリップ。
【請求項１８】
伸ばされた長さのリンクは、リンク底面を有していて、このリンク底面は平坦で滑らかである請求項１５記載の通貨クリップ。
【請求項１９】
各外側部材は頂面を有していて、この頂面は平坦で滑らかである請求項１２記載の通貨クリップ。
【請求項２０】
紙幣またはクレジットカードを保持するための方法であって、紙幣またはクレジットカードは少なくとも２つの端部を有していて：
互いに関して長手方向の移動が可能な複数の相互連結された金属リンクを備えた装飾的な表示面を有する連続的で拡大可能な金属バンドを備えるステップと；
隣接する金属リンクにリンクを連結することによって相互連結するステップと；
表示面を有する少なくとも１つ伸ばされた長さのリンクを隣接する金属リンクに接続するステップと；
隣接する金属リンクを長手方向に移動しそれによってバンドを径方向外側へ拡大するために力を適用するステップと；
保持される紙幣またはクレジットカードの周りに配置されたリンクを収縮するために力を解放するステップと；および
紙幣またはクレジットカードを確実に保持するために、紙幣またはクレジットカードの少なくとも２つの対向する端部を拡大可能なバンドで取り囲むステップと；
を備えた方法。
【請求項２１】
その上に表示面を有する少なくとも２つの伸ばされた長さのリンクを設けるステップをさらに備えた請求項２０記載の方法。
【請求項２２】
平坦で伸ばされた長さのリンクを設けるステップをさらに備えた請求項２０記載の方法。
【請求項２３】
外面と裏返し可能な内面とを隣接する金属リンク上に設けるステップと；
隣接する金属リンクの外面と、隣接する金属リンクの内面とのいずれが表示面であるかを選択するステップと；および
外面または裏返し可能な内面を有する金属リンクを表示面として方向付けるために必要なように隣接する金属リンクを１８０度回転するステップと；
をさらに備えた請求項２０記載の方法。
【発明の詳細な説明】
【０００１】
Ｉ．発明の分野
本発明は通貨クリップ（ｍｏｎｅｙ ｃｌｉｐ）に関し、特に、紙幣（ｐａｐｅｒ ｃｕｒｒｅｎｃｙ）およびクレジットカード（ｃｒｅｄｉｔ ｃａｒｄ）のような通貨の種々の量を受けて保持するために、リンク（ｌｉｎｋ）の長手方向の相対的な移動を提供するために相互連結（ｉｎｔｅｒｌｉｎｋ）された連続的な部材の２つの列を提供する拡大バンド（ｅｘｐａｎｓｉｏｎ ｂａｎｄ）に関する。
【０００２】
ＩＩ．従来技術の説明
従来、相互連結された部材の２つの隣接する列（ｒｏｗ）は、ブレスレットが人の手を受けるように拡大し、ついで、時計を保持するために人の手首を取り囲むように接触する時計用のブレスレットとして使用されてきた。
【０００３】
種々のタイプの連結構造が、時計用の拡大可能なブレスレットに使用されてきて、リプリ（Ｒｉｐｌｅｙ）に許可された表題「時計バンドまたは類似の対象物に使用するための拡大可能な連結装置（ｌｉｎｋａｇｅ）」の米国特許第４、７２３、４０６号；リース（Ｒｉｅｔｈ）に許可された表題「時計バンド、ブレスレットおよび類似のものを作るための拡大可能な連結装置」の米国特許第４、０９６、６８８号；リース（Ｒｉｅｔｈ）に許可された表題「時計バンドまたは類似の対象物に使用するための拡大可能な連結装置」の米国特許第３、７８６、６２９号；レビンガー（Ｌｅｖｉｎｇｅｒ）に許可された表題「時計ブレスレットまたは類似の対象物のための連結装置を作るために使用されるリンクおよびそれによって作られた拡大可能な連結装置」の米国特許第３、６２５、００１号；リース（Ｒｉｅｔｈ）に許可された表題「時計バンドまたは貴金属の類似する対象物を作るのに使用するための拡大可能な連結装置」の米国特許第３、５８７、２２６号；リース（Ｒｉｅｔｈ）に許可された表題「時計ブレスレット用の調整可能部」の米国特許第３、４１６、３０５号；バノーバァー（Ｖａｎｏｖｅｒ）に許可された表題「時計バンドまたは宝石の類似の対象物を作るのに使用するための拡大可能な連結装置」の米国特許第３、３０７、３４８号；クリストフ（Ｃｈｒｉｓｔｏｆｆ）に許可された表題「拡大可能なバンド」の米国特許第３、３０７、３４７号；ドランスキー（Ｄｏｌａｎｓｋｙ）に許可された表題「旋回可能に接続されたリンクと偏倚スプリング用の間隙開口を有する弾性的なバンド」の米国特許第２、９４１、３５１号；ドランスキー（Ｄｏｌａｎｓｋｙ）に許可された表題「引き込まされた連結リンクを有する拡大可能なブレスレット」の米国特許第２、７９９、１３５号；および、スティーゲレ（Ｓｔｉｅｇｅｌｅ）に許可された表題「拡大可能なブレスレット」の米国特許第２、６８９、４５０号に開示されている。
【０００４】
出願人は、上記段落に列記された米国特許に開示されたブレスレットの連結構造を参照する。出願人の発明は、発行された上記特許に開示された連結構造を使用するけれども、従来技術は、そのような連結構造が通貨ホルダーとして有用であるということについては教示も示唆もしていない。
【０００５】
通貨クリップは、系統的な方法（ｏｒｇａｎｉｚｅｄ ｆａｓｈｉｏｎ）で紙幣またはクレジットカードを保持するために長い間使用されてきた。代表的な通貨クリップは、金属ベント（ｂｅｎｔ）の単一部品またはその中間点で折られたものからなっている。中間点の周りに折られた端部は、折られた端部と中間点との間に間隙を形成するために、互いに同じ高さ（ｆｌｕｓｈ）に配置されている。通貨またはクレジットカードは、折られた端部間で間隙内に挿入され、通貨またはクレジットカードの折られた端部を挟むことによって適切な位置に保持される。この通貨クリップの欠点は、この通貨クリップがその折られた中間点に間隙の厚さを画定し、また、それゆえ、この通貨クリップがこの通貨クリップによって保持されるべき通貨の寸法と厚さを制限することである。さらに、通貨クリップの端部が非常に離間して拡がった場合、通貨クリップは、それが比較的小さい寸法および厚さの通貨を保持するために使用できなくするように恒久的に変形される。他の欠点は、折られた端部が互いに十分に離間して移動された場合に、通貨クリップが、その中間点で破れやすいことである。その他の欠点は、通貨の一部分が露出され通貨クリップ内に完全に確保されないで残り、それゆえ、通貨が、通貨クリップからの所望でない取出しに対して損傷を受け易いことである。
【０００６】
通貨クリップが通貨を完全に確保していないことによる通貨の所望でない取出しに関する上記通貨クリップの欠点は、ニックル（Ｋｎｉｃｋｌｅ）に許可された表題「クレジットカードと通貨の保持装置」の米国特許第５、２７９、０１９号において解決された。これは、可撓性であってバンド内に通貨を完全に確保するために拡大を可能にする弾性的な材料のバンドを使用した保持装置を開示している。この弾性的な材料は、バンドの自由端部が一体に固定された場合にバンド内に形成される。バンドの端部は、バンドの端部が取着されたバンドの回りにクリンプ（ｃｒｉｍｐ）された金属カバープレートによって適切な位置に保持され保護される。この保持装置の欠点は、バンドの自由端部が固定された弱点をバンドが有していることである。したがって、バンドは、連続使用または磨耗後に容易に破損しまた裂け易い。この装置の他の欠点は、自由端部が一体に固定されているところにバンドを保護するカバーが必要であるということである。他の欠点は、カバーの長さが、保持装置によってどれだけ多くの通貨の厚さが保持されるかを制限することである。さらに、バンドは、バンドと布のポケットとの間の摩擦によって利用者のポケット内に容易に滑り込まないことである。
したがって、拡大バンドの要望があり、また、通貨を効率的に保持するためにバンド内に挿入される通貨の寸法と厚さに対応して拡大する通貨クリップとして使用するための部材の相互連結システムを使用する拡大バンドが全く開示されてきていない。
【０００７】
ＩＩＩ．本発明の目的
通貨クリップとして使用するために構成された連結システムを提供することが本発明の本質的な目的である。
本発明の関連する目的は、紙幣の全ての変更と量を保持するのに拡大可能な通貨クリップを提供することである。
本発明の他の目的は、ズボンのポケット、上着のポケット、または、利用者による他の適切な方法で保持されるように構成された通貨クリップを提供することである。本発明の関連する目的は、通貨クリップが、ズボンのポケットの裏地、上着のポケット、または、利用者による他の適切な方法において接触するための表面を有して構成されているである。
【０００８】
本発明の関連するさらに他の目的は、使用するのが容易で便利な通貨クリップを提供することである。他の目的は、両方の側が露出された側として作用できるように裏返し可能な（ｒｅｖｅｒｓｉｂｌｅ）可撓性の通貨クリップを提供することである。
さらに他の目的は、彫刻された構造または装飾的宝石がその上に配置されるような、中実（ｓｏｌｉｄ）の伸ばされた長さのリンク（ｅｘｔｅｎｄｅｄ ｌｅｎｇｔｈ ｌｉｎｋ）を収容することができる拡大通貨クリップを提供することである。
本発明の他の目的は、本発明が添付した図面と関連して述べられた以下の記述から、関係するこの分野の通常の知識を有する人にとってより明らかとなるであろう。
【０００９】
ＩＶ．発明の概要
本発明は、全ての寸法と量の通貨を系統立てた効率的な方法で確実に保持するための連結システムを有する連続的なバンドを使用する装置に関する。このバンドは、連続的で拡大可能なループを形成するためのリンクの使用によって相互連結された部材の２つの列からなる。
部材の２つの列は、外側の列と内側の列とに分離されている。外側の列の各部材は、２つのリンクによって内側の列の２つの対応する部材に連結されている。同様に、内側の列の各部材は、２つのリンクによって外側の列の２つの対応する部材に連結されている。リンクは、外側の列の部材と内側の列の部材とをその隣接する部材から離間して長手方向に拡大し、挿入された通貨を保持することを可能にする。リンクはまた、部材の２つの列が露出された表面になることができるように、連続的なバンドを反対側にする（ｔｕｒｎｅｄ ａｒｏｕｎｄ）ことを可能にする。
好ましい実施例の記述は、図面を参照することによってより理解することができる。
【００１０】
ＶＩ．好ましい実施例の詳細な説明
最初に図１に戻ると、通貨クリップホルダー１０が示されていて、特に、クレジットカード１３および紙幣１５の形状の通貨を利用者（ｕｓｅｒ）が保持するバンド１１に関する。好ましくは、バンド１１に挿入される通貨は、限定するものではないが、紙幣、小切手（ｃｈｅｃｋ）、およびクレジットカードである。バンド１１は、銅、銀、金、プラチナ、またはどのような金属あるいは合金で作られてもよい。バンド１１は、開始部も終端部もない連続的なバンドである。
【００１１】
図２に戻ると、近接した平坦な構造の外側部材１２と内側部材１４とを有する従来のバンド１１の一部分が示されている。バンド１１を完成する外側部材１２と内側部材１４との数は予め定められているが、しかし、所望のバンド直径を達成するために製造中に変更され得る。好ましい実施例において、外側部材１２の数は、内側部材１４の数と等しくなければならない。
【００１２】
外側部材１２は、リンク１６によって内側部材１４に接続されている。外側部材１２と内側部材１４とは、リンク１６の反対側に位置されている。閉成された平坦な構造において、外側部材１２は隣接する外側部材１２と同一高さの点（ｆｌｕｓｈ ｐｏｉｎｔ）１８で当接する。内側部材１４もまた他の内側部材１４と隣接しているけれども、最も近接した内側部材１４から分離距離２０で位置されている。閉成された円形の構造において、外側部材１２は、同一高さの点１８で隣接する外側部材１２と当接するために連続している。内側部材１４のために、分離距離２０は、内側部材１４が他の内側部材１４に向かって押されるのでより小さくなるか、または見えなくなる。各外側部材１２は、外側部材１２から内側部材１４に向かって垂直に延びた２つのリンク１６を有している。外側部材１２から延びた各リンク１６は、個別の内側部材１４に対応している。同様に、内側部材１４は、個別の対応する外側部材１２に接続された２つのリンク１６を有している。代表的には、外側部材１２と内側部材１４とは互いに平行を維持し、また、リンク距離２２によって分離されている。さらに、外側部材１２と内側部材１４との間の相互連結は、隣接する外側部材１２と隣接する内側部材１４とが相互に相対的に軸回転できるかまたは角度をなして配置されるように構成されている。これは、分解または連結解除されるどのような部材またはリンクも必要としないで、バンド１１を１８０°回転することによって裏返しできることを可能にする。
【００１３】
外側部材１２は、頂面２４を有して図２に示されている。好ましい実施例において、頂面２４は、平坦であるかわずかに埋め込まれた構造であり、頂面２４は触れたときに滑らかさを維持する。頂面２４は、バンド１１の一部分であり、利用者によって最初に触れられ、ズボンのポケット、上着のポケット、またはシャツのポケットの裏地（ｌｉｎｉｎｇ）と接触してその中に入れられ、多くの場合この裏地を通して使用者の身体に感じられる。滑らかな頂面２４は、バンド１１がどのような位置におかれても利用者にとって快適なバンド１１を提供する。これはまた、見たところ心地よい露出した外側表示（ｄｉｓｐｌａｙ）面を提供する。
【００１４】
内側部材１４は、内面２６を有して図２に示されている。代表的には、内面２６は平坦である。好ましい実施例において、内面２６は、バンド１１内に挿入される通貨を収容するために触れるので平坦で滑らかである。内面２６が滑らかでない場合、内面２６はバンド１１内に挿入された紙幣を捕捉し絡ませるので、したがって紙幣を破損する。
【００１５】
図３には、外側部材１２と内側部材１４とが拡大された平坦な構造を有する従来技術のバンド１１の断面が示されている。拡大された構造において、外側部材１２は拡大された外側距離２８によって分離されるようになり、また、内側部材１４は拡大された内側距離３０によって分離されるようになる。外側部材１２と内側部材１４との分離の際、リンク１６はリンク角度３２によって回転される。好ましくは、最大のリンク角度３２はほぼ４５°である。
これに替えて、リンク角度３２はバンド１１のさらなる拡大または収縮を可能にするために変更することができる。
【００１６】
外側部材１２と内側部材１４との両方のリンク１６の接続と、リンク１６がどのようにして外側部材１２と内側部材１４との拡大を可能にするかについての種々の連結構造の詳細は、参照して編入した米国特許に開示されている。好ましい実施例において、バンド１１は、図１と２において議論したどのようなバンド１１でもよく、また、参照して編入した米国特許に開示されたようなどのような連結構造も使用する。
【００１７】
図４〜６は、バンド１１のこれに替わる実施例である。各図において、バンド１１は連続的なループ３４を形成する。ループ３４の内側は、図１に示されたように、通貨がどこに挿入されバンド１１によって確実に保持されるかを画定している。図４において、外側部材１２と内側部材１４とは、完全で連続的なバンド１１を形成するために組み合わされる。
【００１８】
図５において、バンド１１の外側部材１２と内側部材１４とは、実質的に平坦なプレートのように構成された伸ばされた長さのリンク３６によって接続されている。伸ばされた長さのリンク３６は、リンク幅３５とリンク長さ３７とを有している。好ましくは、リンク幅３５はバンド１１と同一の幅を有していて、バンド１１の周囲と同一の方向に延びている。好ましい実施例において、伸ばされた長さのリンク３６は、ズボンのポケット、上着のポケット、またはシャツのポケットの裏地、および、多くの場合裏地を通して感じられる利用者の身体との接触を調整するために平坦で滑らかであるリンク頂面３８を有している。リンク頂面３８は、彫刻するかまたは宝石をちりばめることが想起される。
【００１９】
図６において、バンド１１は、伸ばされた長さのリンク３６と伸ばされた長さのリンク４０とを有している。好ましくは、伸ばされた長さのリンク４０は、伸ばされた長さのリンク３６と等しく、伸ばされた長さのリンク３６の位置に直接対向してバンド１１に沿った位置に配置されている。互いに対向した伸ばされた長さのリンク３６と伸ばされた長さのリンク４０との位置付けは、通貨クリップ１０のより容易な使用と、バンド１１内ヘの通貨のより容易な挿入と、バンド１１によって保持される間の通貨の便利で適切な取付けを可能にする。伸ばされた長さのリンク３６と４０は、リンク底面４２を有している。好ましい実施例において、リンク底面４２は、バンド１１内に挿入される通貨を受けるために平坦で、接触して滑らかである。
【００２０】
図７において、通貨クリップ１０のバンド１１は、数枚のまたは多数枚の紙幣（ｂｉｌｌ）を保持するためにわずかに拡大されている。数枚のまたは多数枚の紙幣用に、外側部材１２は通貨の寸法、および／または、枚数を調整するために軸回転（ｐｉｖｏｔ）する。これは、外側部材１２が、バンド１１の周囲と同一の方向へ長手方向に移動され、また、拡大された位置４４と４６とになることによって図７に表わされている。外側部材１２の拡大が拡大された位置４４と４６とになるために、内側部材１４によって可能なように、また、位置４８、５０、５２、および５４に配置された内側部材１４によって表わされているように、リンク１６はリンク角度３２によって回転される。
【００２１】
より大きい寸法およびより多い量の通貨を収容するために、付加的な外側部材１２と内側部材１４とが、図８に示されたような拡大部を提供するために長手方向に配置されている。この構造において、複数の外側部材１２が、追加された量の通貨または多くのクレジットカードを収容するために、バンド１１の両側に配置されている。しかしながら、内側部材１４は依然として、バンド１１の長さに沿って平坦でかなり一定な水平面に維持される。これに替えて、利用者が、沢山の量の紙幣を折り曲げる替わりにそれ自身上に巻くことを望む場合、バンド１１は拡大され、ループ３４に巻かれた紙幣を受ける。
【００２２】
外側部材１２と内側部材１４とは、互いに関して拡大するために必要な力を制御する内部スプリングによってさらに接続されている。この力は、数ドルのみがループ３４に挿入された場合、スプリングの力が外側部材１２と内側部材１４とを接触するようにするために、また、紙幣がそれら自身上に占められたり折り曲げられたりしないように最低限である。このようにして、１ドルのように少ない場合であっても、そのドルがしわになったり締められたりしないで、バンド１１によって保持される。
一方において、数百ドルのように多い場合であっても同様に、外側部材１２と内側部材１４とを互いに相対的に拡大することによって、ループ３４で受けることができる。
【００２３】
外側部材１２と内側部材１４とが接続される方法は非常に強固であるけれども、依然として可撓性のバンド１１を提供する。事実、連結配置は可撓性であるので、バンド１１は、外側部材１２と内側部材１４とが実際に１８０度回転されるようにその周りに回転できる。バンド１１はそれゆえ図９に示されたような構造になることができる。外側部材１２は内側部材１４によって事前に保持された位置になることができ、同様に、内側部材１４は外側部材１２によって事前に保持された位置になり得る。
【００２４】
バンドの裏返し可能な態様は、本発明に付加的な利点を与える。バンドの方向付けを裏返しすることによって、利用者は、外側部材１２または内側部材１４のいずれかを露出された表示面として表示することが得られる。このように、外側部材１２と内側部材１４とは、異なった材料と外観を備えることができ、また、利用者は、露出された外側表示面としてどちらの部材を好むかを選択できる。例えば、外側部材１２は銀であって、内側部材１４は金であってもよい。利用者は、銀または金のいずれかを露出された外側表示面とするかの選択権を有している。同様に、伸ばされた長さのリンク３６がバンド１１に使用された場合、伸ばされた長さのリンク３６の一方の側は彫刻されていてもよく、これに対して他方の側は宝石の原石がその中に埋め込まれていてもよい。
【００２５】
このように、通貨の効率的で便利な保持を可能にするために拡張しまた収縮する連結構造を使用することによって、相互連結された外側部材と内側部材のバンドを使用する通貨クリップが提供される。本発明は、特定の実施例に関連して述べられてきたけれども、多くの変更、修正および改変が、上述の記述に照らしてみればこの分野の当業者にとって明らかであることが理解できる。したがって、請求の範囲の精神および範囲に入るような全ての変更、修正および改変を包含するように企図されている。
【図面の簡単な説明】
【図１】紙幣およびクレジットカードを保持するための出願人のバンドの斜視図。
【図２】近接された平坦な構造に一体に連結された外側と内側の列の部材を示す従来技術のブレスレットの一部を取り除いた側面段面図。
【図３】拡大された平坦な構造に一体に連結された外側と内側の列の部材を示す従来技術のブレスレットの一部を取り除いた側面段面図。
【図４】連続した中断されていないループの外側および内側部材を有する通貨クリップバンドの斜視図。
【図５】伸ばされた長さのリンクによって分離された連続したループの外側および内側部材を有する通貨クリップバンドの斜視図。
【図６】２つの対向する中実で伸ばされた長さのリンクによって分離された連続したループの外側および内側部材を有する通貨クリップバンドの斜視図。
【図７】通貨が取り除かれていて、少数の量の通貨を保持するためにわずかに拡大された図１の通貨クリップの側面図。
【図８】沢山の量の通貨を保持するために大きく拡大された通貨クリップの図７に類似した側部立面図。
【図９】通貨クリップのバンドが裏返しされていることを除く図８に類似した側部立面図。
【図１】
2004532662.tif 000003
【図２】
2004532662.tif 000004
【図３】
2004532662.tif 000005
【図４】
2004532662.tif 000006
【図５】
2004532662.tif 000007
【図６】
2004532662.tif 000008
【図７】
2004532662.tif 000009
【図８】
2004532662.tif 000010
【図９】
2004532662.tif 000011
【国際公開パンフレット】
2004532662.tif 000012
2004532662.tif 000013
2004532662.tif 000014
2004532662.tif 000015
2004532662.tif 000016
2004532662.tif 000017
2004532662.tif 000018
2004532662.tif 000019
2004532662.tif 000020
2004532662.tif 000021
2004532662.tif 000022
2004532662.tif 000023
2004532662.tif 000024
2004532662.tif 000025
2004532662.tif 000026
2004532662.tif 000027
2004532662.tif 000028
2004532662.tif 000029
2004532662.tif 000030
2004532662.tif 000031
2004532662.tif 000032
2004532662.tif 000033
2004532662.tif 000034
2004532662.tif 000035
2004532662.tif 000036
【手続補正書】
【提出日】平成14年4月11日(2002.4.11)
【手続補正１】
【補正対象書類名】明細書
【補正対象項目名】特許請求の範囲
【補正方法】変更
【補正の内容】
【特許請求の範囲】
【請求項１】
少なくとも２つの対向する端部を有する紙幣またはクレジットカードを確実に保持するための方法であって：
互いに関して長手方向に移動可能な複数の相互連結された隣接する金属リンクを備えた連続的で拡大可能な装飾表示面を有する金属バンドを備えるステップと；
隣接する金属リンクに外面と裏返し可能な内面とを備えるステップと；
隣接する金属リンクの外面と隣接する金属リンクの金属内面とのいずれが表示面となるかを選択するステップと；
金属リンクを隣接する面または裏返し可能な内面とともに表示面として方向付けるために必要なように、外側金属リンクを１８０°回転するステップと；
相互連結された隣接する金属リンクを長手方向に移動するために力を適用し、それによってバンドを径方向外側に拡大するステップと；
保持されるべき紙幣またはクレジットカードの周りに配置されたリンクを収縮するために前記力を解放するステップと；および
紙幣またはクレジットカードを確実に保持するために、拡大可能なバンドとともに紙幣またはクレジットカードの少なくとも２つの対向する端部を取り囲むステップと；
を備えた方法。
【請求項２】
外面を有する複数の隣接する外側部材を備え、また、隣接する外側部材の内側に平行な隣接する内側部材の第２の列を備えるステップをさらに備えていて、内側部材は裏返し可能な内面を有していて、隣接する外側部材と隣接する内側部材とは金属連結リンクによって結合されている請求項１記載の方法。
【請求項３】
外側部材と内側部材とが隣接する部材から長手方向に移動可能にするための相互連結手段を備えるステップをさらに備えた請求項２記載の方法。
【請求項４】
外側部材または内側部材のいずれかが外側表示面として方向付けられるように選択し、選択された外側部材または選択された内側部材を外側表示面として方向付けるために必要なように外側部材および内側部材を１８０度回転するステップをさらに備えた請求項２記載の方法。
【請求項５】
相互連結された隣接するリンクを互いに長手方向に移動するのを可能にするためのスプリング負荷された相互連結手段を備えるステップをさらに備えた請求項１記載の方法。
【請求項６】
隣接するリンクよりも長く、また、その上に装飾表示を受けるのに適した少なくとも１つの伸ばされた長さのリンクを備えるステップをさらに備えた請求項１記載の方法。
【請求項７】
隣接するリンクに相互連結されまたそれを分離する少なくとも１つの伸ばされた長さのリンクを備えるステップをさらに備えた請求項１記載の方法。
【請求項８】
中実で平坦で滑らかな頂面を伸ばされた長さのリンク上に備えるステップをさらに備えた請求項７記載の方法。
【請求項９】
伸ばされた長さのリンク上に彫刻を備えるステップをさらに備えた請求項８記載の方法。
【請求項１０】
伸ばされた長さのリンク上に宝石を備えるステップをさらに備えた請求項８記載の方法。
【請求項１１】
少なくとも２つの対向する端部を有する紙幣またはクレジットカードを確実に保持するための方法であって：
露出された装飾表示面を有し、装飾的表示面を有する隣接する金属の外側部材の複数の第１の列を備えた拡大可能な金属バンドを備えるステップと；
外側部材の内側に平行に隣接していて、裏返し可能な内側表示面を有する金属の内側部材の第２の列を備えるステップと；
外側部材と内側部材とを、隣接する外側部材と内側部材とから長手方向へ各移動することが可能なように外側部材を内側部材に相互連結するステップと；
外側部材の外側表示面と内側部材の裏返し可能な内側表示面とのいずれかを露出された表示面として方向付けられるように選択し、選択された外側表示面を有する外側部材か裏返し可能な内側表示面を有する内側部材かのいずれかを露出された表示面として方向付けるために必要なように、外側部材または内側部材を１８０°回転するステップと；
隣接する外側部材を互いに、また、隣接する内側部材を互いに長手方向へ移動しそれによってバンドを径方向外側へ拡大するための力を及ぼすステップと；
移動された外側部材と移動された内側部材とを保持されるべき紙幣またはクレジットカードの周りで収縮するために力を解放するステップと；および
紙幣またはクレジットカードを確実に保持するために、紙幣またはクレジットカードの少なくとも２つの対向する端部を拡大可能なバンドで取り囲むステップと；
を備えた方法。
【請求項１２】
紙幣またはクレジットカードを保持する通貨クリップとして使用するための拡大可能なバンドであって：
隣接する金属の外側部材の第１の列を備え；
外側部材の第１の列と相互連結された隣接する金属の内側部材の第２の列を備え；
外側部材と内側部材とを互いに相互連結するための複数のリンクを備え、各外側部材は少なくとも２つのリンクによって少なくとも２つの内側部材に相互連結され、また、各内側部材は少なくとも２つのリンクによって少なくとも２つの外側部材に相互連結され；
外側部材と内側部材との第１の列を分離する平坦で裏返し可能な伸ばされた長さのリンクを備え、この伸ばされた長さのリンクは、いずれかの面が選択的に表示されるような頂面と底面とを有していて；
外側部材と内側部材とは、紙幣の少なくとも２つの端部を取り囲むのに適した拡大可能なバンドで外側部材を内側部材に相互連結することによって互いに関して長手方向の移動が可能である；
拡大可能なバンド。
【請求項１３】
リンクは、外側部材と内側部材との長手方向の相対的な移動を可能にするためにリンク角度で回転する請求項１２記載の通貨クリップ。
【請求項１４】
外側部材と内側部材とは、少なくとも１つの伸ばされた長さのリンクによって分離されている請求項１２記載の通貨クリップ。
【請求項１５】
リンク頂面は、平坦で滑らかである請求項１２記載の通貨クリップ。
【請求項１６】
リンク頂面は、彫刻されている請求項１５記載の通貨クリップ。
【請求項１７】
リンク頂面は、宝石がちりばめられている請求項１５記載の通貨クリップ。
【請求項１８】
リンク底面は、平坦で滑らかである請求項１２記載の通貨クリップ。
【請求項１９】
各外側部材は頂面を有していて、この頂面は平坦で滑らかである請求項１２記載の通貨クリップ。
【請求項２０】
紙幣またはクレジットカードを保持するための方法であって、紙幣またはクレジットカードは少なくとも２つの端部を有していて：
互いに関して長手方向の移動が可能な複数の相互連結された金属リンクを備えた装飾的な表示面を有する連続的で拡大可能な金属バンドを備えるステップと；
表示面を有する少なくとも１つ伸ばされた長さのリンクを隣接する金属リンクに接続するステップと；
隣接する金属リンクを長手方向に移動しそれによってバンドを径方向外側へ拡大するために力を適用するステップと；
保持される紙幣またはクレジットカードの周りに配置されたリンクを収縮するために力を解放するステップと；および
紙幣またはクレジットカードを確実に保持するために、紙幣またはクレジットカードの少なくとも２つの対向する端部を拡大可能なバンドで取り囲むステップと；
を備えた方法。
【請求項２１】
その上に表示面を有する少なくとも２つの伸ばされた長さのリンクを設けるステップをさらに備えた請求項２０記載の方法。
【請求項２２】
平坦で伸ばされた長さのリンクを設けるステップをさらに備えた請求項２０記載の方法。
【請求項２３】
外面と裏返し可能な内面とを隣接する金属リンク上に設けるステップと；
隣接する金属リンクの外面と、隣接する金属リンクの内面とのいずれが表示面であるかを選択するステップと；および
外面または裏返し可能な内面を有する金属リンクを表示面として方向付けるために必要なように隣接する金属リンクを回転するステップと；
をさらに備えた請求項２０記載の方法。
【国際調査報告】
2004532662.tif 000037